(57)【要約】【課題】生活環境改善済の空気の生成効率が良くなる。【解決手段】仕切部材１２が給気口部９から内部空間部３に取り込まれた生活環境改善対象としての空気８を採光可能な箱体２の内部空間部３に収容された生活環境改善用の植物４の枝葉７に触れるようにガイドし、空気８が植物４の新陳代謝により生活環境改善済になった空気１０として生成されるので、空気１０の生成効率が良くなる。仕切部材１２は、植物４の幹６を避けた複数個に分かれた板材又は幹６を取り巻くように螺旋状になった板材により構成して仕切部材１２が幹６に損傷を与えないよう考慮し、仕切部材１２の上下方向に隔てられた空間に枝葉７が配置されている。【選択図】図１
2016187365.tif 000002
【特許請求の範囲】
【請求項１】
採光可能な箱体で取り囲まれた内部空間部に生活環境改善用の植物が収容され、箱体に設けられた給気口部から内部空間部に取り込まれた空気が上記内部空間部に収容された植物の新陳代謝により生活環境改善の空気として生成され、この生成された空気が箱体の外部に排出される生活環境改善装置であって、箱体の内部空間部には内部空間部に取り込まれた空気を上記植物の枝葉にガイドする仕切部材が設けられたことを特徴とする生活環境改善装置。
【請求項２】
仕切部材が植物の幹を収容する溝を中央の側に有する板材を所定間隔で隔てて複数個設けて構成され、上記上下方向で隣接する板材の溝の延長方向を周方向に異ならせたことを特徴とする請求項１記載の生活環境改善装置。
【請求項３】
仕切部材は、その溝が植物の幹を収容した状態において、植物の枝葉の間隔を上，下に区分けすることを特徴とする請求項１又は請求項２に記載の生活環境改善装置。
【請求項４】
仕切部材は植物の幹に対してほぼ直角方向に延長することを特徴とする請求項１記載の生活環境改善装置。
【請求項５】
仕切部材は、その上面側が植物の幹に近づくように傾斜が与えられていることを特徴とする請求項１に記載の生活環境改善装置。
【請求項６】
仕切部材は、幹を取り巻くように螺旋状の板材より成る請求項１に記載の生活環境改善装置。
【発明の詳細な説明】
【技術分野】
【０００１】
本発明は、植物の新陳代謝により空気から有害物質を除去したり空気に好ましい香りを付加したりして生活環境を改善する生活環境改善装置に関する。
【背景技術】
【０００２】
図６を参照し、特許文献１で開示された生活環境改善装置１０１について説明する。図６に示した生活環境改善装置１０１は、採光可能な箱体１０２の内部に内部空間部１０３が設けられ、内部空間部１０３には生活環境改善用の植物１０４を収容し、箱体１０２よりも外側に存在する外気である空気１０５が箱体１０２に設けられた給気口部１０６から生活環境改善対象として内部空間部１０３に取り込まれ、この内部空間部１０３に取り込まれた空気１０５が上記内部空間部１０３に収容された植物１０４の新陳代謝により生活環境改善済の空気１０７として生成され、この生成された空気１０７が箱体１０２に設けられた排気口部１０８から箱体１０２の外部に排出される。
【０００３】
よって、生活環境改善装置１０１を建物内の部屋や廊下等の人の往来する空間部に設置し、生活環境改善装置１０１に対する外気として生活環境改善装置１０１の設置された空間部に存在する空気を給気口部１０６から内部空間部１０３に取り込んで植物１０４の新陳代謝により生活環境改善の空気１０７として生成し、この生成された空気１０７が生活環境改善装置１０１の排気口部１０８から生活環境改善装置１０１の設置された空間部に排出され、生活環境改善装置１０１の設置された空間部の生活環境を改善するようになっている。
【０００４】
例えば、アンモニア、トルエン、ホルムアルデヒド、フェノール等のような臭い物質や有害物質が生活環境改善装置１０１の設置された空間部に存在する空気に含まれているような場合に、当該空気が生活環境改善装置１０１を通過する過程で上記有害な成分が植物１０４の新陳代謝により除去された生活環境改善の空気として上記空間部に排出される。又、有害物質が生活環境改善装置１０１の設置された空間部に存在する空気に含まれていない場合でも、当該空気が生活環境改善装置１０１を通過する過程で上記有害な成分が植物１０４の新陳代謝によりアロマセラピー等のような好ましい香りの付加された生活環境改善の空気として上記空間部に排出される。
【０００５】
しかしながら、図６に示した生活環境改善装置１０１は、箱体１０２の内部に設けられた内部空間部１０３に生活環境改善用の植物１０４を置くだけの構造であるので、給気口部１０６から排気口部１０８に移動する空気が植物１０４の枝葉１０９に触れるきっかけが少なく、生活環境改善済の空気１０７の生成効率が悪い。
【先行技術文献】
【特許文献】
【０００６】
【特許文献１】特開２０００−１６１７２８号公報
【発明の概要】
【発明が解決しようとする課題】
【０００７】
本発明は、上記背景技術に鑑みてなされたものであり、採光可能な箱体の内部の内部空間部での生活環境改善済の空気の生成効率を良くすることを目的とする。
【課題を解決するための手段】
【０００８】
採光可能な箱体で取り囲まれた内部空間部に生活環境改善用の植物が収容され、箱体に設けられた給気口部から内部空間部に取り込まれた空気が上記内部空間部に収容された植物の新陳代謝により生活環境改善の空気として生成され、この生成された空気が箱体の外部に排出される生活環境改善装置であって、箱体の内部空間部には内部空間部に取り込まれた空気を上記植物の枝葉にガイドする仕切部材が設けられた。また、仕切部材が植物の幹を収容する溝を中央の側に有する板材を所定間隔で隔てて複数個設けて構成され、上記上下方向で隣接する板材の溝の延長方向を周方向に異ならせた。また、仕切部材は、その溝が植物の幹を収容した状態において、植物の枝葉の間隔を上，下に区分けした。また、仕切部材は植物の幹に対してほぼ直角方向に延長した。また、仕切部材は、その上面側が植物の幹に近づくように傾斜が与えられている。また、仕切部材は、幹を取り巻くように螺旋状の板材より成る。
【発明の効果】
【０００９】
本発明は、仕切部材が生活環境改善対象として内部空間部に取り込まれた空気を生活環境改善用の植物の枝葉に触れるようにガイドすることにより、生活環境改善済の空気の生成効率が良くなる。本発明では、仕切部材が植物の幹を収容する溝を中央の側に有する板材を所定間隔で隔てて複数個設けて構成され、上記上下方向で隣接する板材の溝の延長方向を周方向に異ならせるか、又は、仕切部材が植物の幹に対してほぼ直角方向に延長し、植物の幹を取り巻くように巻回する螺旋状の板材により構成されれば、仕切部材が幹に損傷を与えないようになり、仕切部材の上下方向に隔てられた空間に枝葉が配置されて、枝葉の触れる時間、距離が増えるので生活環境改善済の空気の生成効率が最良になる。
【図面の簡単な説明】
【００１０】
【図１】発明を実施するための形態１に係る生活環境改善装置を縦方向に切断して示した断面図。
【図２】発明を実施するための形態２に係る生活環境改善装置を縦方向に切断して示した断面図。
【図３】発明を実施するための形態３に係る生活環境改善装置を分解して示した斜視図。
【図４】発明を実施するための形態３に係る生活環境改善装置を縦方向に切断して示した断面図。
【図５】ａ図は図４のａ−ａ線断面図、ｂ図は図４のｂ−ｂ線断面図、ｃ図は図４のｃ−ｃ線断面図、ｄ図は図４のｄ−ｄ線断面図。
【図６】特許文献１で開示された従来の生活環境改善装置を縦方向に切断して示した断面図。
【発明を実施するための形態】
【００１１】
図１を参照し、発明を実施するための形態１に係る生活環境改善装置１について説明する。図１に示した生活環境改善装置１は、箱体２を備える。箱体２は、透明又は半透明な材料により採光可能な構造になっているので、箱体２の内部に置かれた生活環境改善用の植物４が光合成を行うことができる。箱体２の内部には、箱体２で取り囲まれた内部空間部３設けられる。内部空間部３は、縦長な四角形断面を有する。内部空間部３には、植物４が収容される。植物４としては、鉢５に植栽された幹６から延びた枝葉７を有する態様を例示した。
【００１２】
箱体２の下部端には、箱体２よりも外側に存在する外気である空気８を生活環境改善対象として内部空間部３に取り入れる給気口部９と、内部空間部３で生成された生活環境改善済の空気１０を箱体２の外部に排出しかつ上部端に位置する排気口部１１とが設けられる。内部空間部３には、内部空間部３に取り込まれた空気８を植物４の枝葉７に触れるようにガイドする仕切部材１２が設けられる。仕切部材１２は、上下方向に所定間隔隔てて複数個設けられ、箱体２の内部空間部３を囲む側壁部１３に固定され、植物４の幹６を避けた板材で構成されたことにより、仕切部材１２が幹６に損傷を与えないようになっている。
【００１３】
例えば、箱体２の内部空間部３を囲む側壁部１３から内部空間部３の中央の側である植物４の幹６の側に向けて斜め下向きに突出した態様になっている。図１における右列の仕切部材１２と左列の仕切部材１２との間には、幹避け部１４が幹６の太さより大きな寸法の隙間として設けられたので、仕切部材１２が幹６に損傷を与えることはないようになっている。右列の仕切部材１２同士を上下方向に隔てる空間、左列の仕切部材１２同士を上下方向に隔てる空間のそれぞれには、植物４の枝葉７が配置された場合を例示した。上記空間の全てに枝葉７が配置されていない態様も適用可能である。
【００１４】
よって、図１に示した生活環境改善装置１によれば、採光可能な箱体２で取り囲まれた内部空間部３には生活環境改善用の植物４が収容され、仕切部材１２が給気口部９から内部空間部３に取り込まれた生活環境改善対象としての空気８を植物４の枝葉７に触れるようにガイドすることにより、内部空間部３に取り込まれた空気８が植物４の新陳代謝により生活環境改善済になった空気１０として生成され、更に枝葉７の触れる時間、距離が増えることになるので、空気１０の生成効率が良くなる。この生成された空気１０は、排気口部１１から箱体２の外部に排出される。なお、矢印Ｇは仕切部材１２に基づき、仕切部材１２によって、仕切られた下側の空間の列（例えば右列）から、水平方向の回り込みを経て、反対列の上側の空間の列（例えば左列）へ、更に水平の回り込みを経て、その反対の上側の空間の列（例えば右列）へと列を交互に移動しながら、下側から上側に向けて仕切られた空間を移動する千鳥状のような空気の流れを示す。
【００１５】
図２を参照し、発明を実施するための形態２に係る生活環境改善装置１について説明する。図２に示した生活環境改善装置１では、仕切部材１６が植物４の幹６を避けて取り巻くように巻回されて上下方向に延長された螺旋状の板材によりに構成されている。仕切部材１６の内縁部には、幹避け部１７が螺旋状になって上下に延長された上下端部で開口された形に設けられる。植物４が内部空間部３に収容された場合には、幹６が幹避け部１７に配置され、幹避け部１７が幹６を囲んで避けることにより、仕切部材１６が幹６に損傷を与えないようになっている。例えば、仕切部材１６が植物４の幹６を取り巻くように配置されるには、幹６の最上部が幹避け部１７の下端部の開口から上方に収容されるように、仕切部材１６が植物４に対して下降されると共に幹６を中心として幹６の周囲の方向に回されることにより、幹６が幹避け部１７に配置され、枝葉７が仕切部材１６の板材同士を上下方向に隔てる空間に配置される。
【００１６】
仕切部材１６が箱体２の側壁部１３に接触するか又は接触する程度に配置されたことより、給気口部９から内部空間部３に取り込まれた空気は、側壁部１３の間から上方に行く量が減少し、螺旋状になった仕切部材１６で植物４の枝葉７に触れるようにガイドされる量が増加する。又、仕切部材１６が側壁部１３に接触することにより、内部空間部３に対する仕切部材１６の上下位置が保持されるようになっている。仕切部材１６が側壁部１３に接触する程度に配置される場合は、仕切部材１６の一部が側壁部１３の一部に接触するように構成されることにより、内部空間部３に対する仕切部材１６の上下位置が保持される。この場合、ほぼ空気は矢印Ｇに沿って下側から上側に向けての螺旋状に流れて枝葉７に触れることになる。
【００１７】
よって、図２に示した生活環境改善装置１によれば、仕切部材１６が内部空間部３に生活環境改善対象として取り込まれた空気８を螺旋状の板材同士で上下方向に隔てる空間に配置された枝葉７に触れるようにガイドするので、空気が下側の枝葉７から上側の枝葉７へと螺旋状に順次触れることとなり、枝葉７の触れる時間、距離が増えるので空気１０の生成効率が良くなる。図２のＧは空気の螺旋状の流れを示し、枝葉７に触れるようにガイドされる。
【００１８】
尚、図１及び図２に示した箱体２は、箱体２に設けられた図示のされていない開閉可能な構造により、植物４を箱体２の外部から内部空間部３に収容したり、植物４を内部空間部３から箱体２の外部に取り出したりすることが可能になっている。箱体２の図示のされていない開閉可能な構造としては、例えば、箱体２が上下又は左右に分割された構造、開閉可能な出入口部が箱体２に設けられた構造等により適用可能である。箱体２が上下に分割された構造は、上下に分割された下側の箱体２の底部の上に植物４の植栽された鉢５を置いた後、上下に分割された上側の箱体２を下側の箱体２の上に被せることで、箱体２を図１に示した形に構成し得る態様である。箱体２が左右に分割された構造は、左右に分割された一方の箱体２の底部の上に植物４の植栽された鉢５を置いた後、左右に分割された一方の箱体２と他方の箱体２とを互いに合わることで、箱体２を図１に示した形に構成し得る態様である。又、箱体２が上下又は左右に分割された構造の場合、分割された２個の箱体２を合わせた状態において、その合わられた２個の箱体２を互いに離れないように支持することが必要である。
【００１９】
又、図１及び図２に図示のされていない棒状の支持部材が植物４の鉢５と幹６と枝葉７とを避けて仕切部材１６の螺旋状の板材同士を上下方向に連結するように仕切部材１６に設けられることにより、仕切部材１２に対する支持部材の上下位置を調整可能に構成しても適応可能である。上記図示のされていない支持部材の仕切部材１６から下方に突出した端部を箱体２の底部の上に置くことにより、仕切部材１６が側壁部１３に接触する程度に配置される場合でも、内部空間部３に対する仕切部材１６の上下位置が保持される。
【００２０】
図３乃至図５を参照し、発明を実施するための形態３に係る生活環境改善装置１について説明する。図３に示した生活環境改善装置１では、箱体２が左右に分割された一方の箱体２１と他方の箱体３１とを互いに合わせることにより図４に示した１つの内部空間部３を形成するようになっている。
【００２１】
図３において、一方の箱体２１について説明すると、一方の箱体２１は、透明又は半透明な材料により採光可能な構造になっていて、一方の箱体２１の分割境界部２２に設けられた開口部２３と、開口部２３から一方の箱体２１の内部への窪みとして設けられた縦長な四角形断面の内部空間部２４と、内部空間部２４に繋がるように設けられた下部端の給気口部９と、上下２枚の薄板状の仕切部材２５とを備える。仕切部材２５は、板材を上、下に所定間隔で２個設けて構成される。仕切部材２５は、内部空間部２４に配置される根本の内側部分２６と、開口部２３よりも外側（先端方向）に突出した外側部分２７とを備える。
仕切部材２５の内側部分２６が、一方の箱体２１の内部空間部２４を囲む側壁部２８に固定される。仕切部材２５は、図３、図４に示すように、植物４の幹６を収容する溝としての幹避け部２９を仕切部材２５の中央の側に有する。幹避け部２９は、外側部分２７の他方の箱体３１に向けて最も突出した端部３０の中間点から開口し、当該開口から仕切部材２５の内部の側に窪むと共に上下にも開口した溝として設けられる。
【００２２】
図３において、他方の箱体３１について説明すると、他方の箱体３１は、透明又は半透明な材料により採光可能な構造になっていて、他方の箱体３１の分割境界部３２に設けられた開口部３３と、開口部３３から他方の箱体３１の内部への窪みとして設けられた内部空間部３４と、内部空間部３４に繋がるように設けられた上部端の排気口部１１と、上下２枚の薄板状の仕切部材３５とを備える。仕切部材３５は、板材を上、下に所定間隔で２個設けて構成される。仕切部材３５は、内部空間部３４に配置される根本の内側部分３６と、開口部３３よりも外側に突出した外側部分３７とを備える。内側部分３６が他方の箱体３１の内部空間部３４を囲む側壁部３８に固定される。仕切部材３５は、図３、図４に示すように植物４の幹６を収容する溝としての幹避け部３９を仕切部材３５の中央の側に有する。幹避け部３９は、外側部分３７の一方の箱体２１に向けて最も突出した端部４０の中間点から開口し、当該開口から仕切部材３５の内部の側に窪むと共に上下にも開口した溝として設けられる。図５に示したように、溝としての幹避け部２９と幹避け部３９とは、上下方向で隣接する板材において、幹避け部２９と幹避け部３９との延長方向が周方向に１８０度異なっている。従って、幹６には幹避け部２９と幹避け部３９とが互いに反対側から挿入される。
【００２３】
図３に示した生活環境改善装置１では、植物４の幹６の植栽された鉢５が左右に分割された一方の箱体２１の底部の上に置かれ、幹６が一方の箱体２１に固定された仕切部材２５の幹避け部２９に挿入され、幹６が他方の箱体３１に固定された仕切部材３５の幹避け部３９に反対側から挿入されることで、幹避け部２９，３９が図４に示した幹６を囲んで避けることにより、仕切部材２５，３５が幹６に損傷を与えることはない。尚、溝としての幹避け部２９と幹避け部３９とは上下方向で隣接するもの同士が１８０度以外の角度ずれていてもよい。又、仕切部材２５と仕切部材３５とをそれぞれ構成する板材は、２枚以外の１枚又は３枚以上であってよい。
【００２４】
図４に示したように、一方の箱体２１の分割境界部２２と他方の箱体３１の分割境界部３２とが互いに合わせられることで、仕切部材２５の外側部分２７が他方の箱体３１の内部空間部３４に取り込まれて側壁部３８に接触するか又は接触する程度に配置されたことにより、内部空間部３に取り込まれた空気が外側部分２７と側壁部３８との間から上方に行く量が低減し、幹避け部２９と幹６との間から仕切部材２５，３５の複数個の板材同士を上下方向に隔てる空間に間に流通する量が増えるうえ、外側部分３７が一方の箱体２１の内部空間部２４に取り込まれて側壁部２８に接触するか又は接触する程度に配置されたことにより、内部空間部３に取り込まれた空気が外側部分３７と側壁部２８との間から上方に行く量が低減し、幹避け部３９と幹６との間から仕切部材２５，３５の複数個の板材同士を上下方向に隔てる空間に間に取り込まれて流通する量が増える。図４の矢印Ｆは空気の流れを示し、図面から明らかなように空気は流れる過程で、そのほとんどが枝葉７に触れてガイドされる。
【００２５】
よって、図４に示した生活環境改善装置１によれば、仕切部材２５，３５が内部空間部３に取り込まれた空気８を仕切部材２５，３５の複数個の板材同士を上下方向に隔てる空間に配置された枝葉７に触れるようにガイドすることにより、生活環境改善済の空気１０の生成効率が良くなる。図４の矢印Ｆに示すように空気は水平に回り込みながら下側から上側にむけて流れる。
【００２６】
図４において、仕切部材２５が一方の箱体２１に固定されることなく、仕切部材３５が他方の箱体３１に固定されることなく、図４に図示のされていない棒状の支持部材が植物４の鉢５と幹６並びに枝葉７を避けるように上下に互い違いに配置された仕切部材２５，３５に上下方向に装着されることにより、仕切部材２５，３５に対する支持部材の上下位置を調整可能に構成しても適応可能である。上記図示のされていない支持部材の仕切部材２５，３５から下方に突出した端部を箱体２の底部の上に置くことにより、仕切部材２５，３５の内部空間部３に収容された上下位置が保持される。
【００２７】
尚、図１乃至図４に示した生活環境改善装置１の箱体２は上下の塞がれた角筒状に限定されるものではなく、上下の塞がれた丸筒状でも適用可能である。又、図４に示した一方箱体２１及び他方の箱体３１の一方が上下の塞がれた角筒状で他方が丸筒状でも適用可能である。
【００２８】
図５において、幹避け部２９と幹避け部３９の配列について説明する。図５のａ図及びｃ図において、幹避け部２９が仕切部材２５の中央の側に設けられるとは、仕切部材２５の端部３０が延びる方向で等分する位置と仕切部材２５の中心とを結ぶ一点鎖線で示した線分４１上又は線分４１の近傍に設けられることである。図５のｂ図及びｄ図において、幹避け部３９が仕切部材３５の中央の側に設けられるとは、仕切部材３５の端部４０が延びる方向で等分する位置と仕切部材３５の中心とを結ぶ一点鎖線で示した線分４２上又は線分４２の近傍に設けられることである。
【００２９】
又、図５のａ図及びｃ図において、幹避け部２９の端部３０に位置する開口から仕切部材２５の内部の側に窪む方向の向きを、矢印４３で示すように、幹避け部２９を構成する溝の延長方向と定義し、図５のｂ図及びｄ図において、幹避け部３９の端部４０に位置する開口から仕切部材３５の内部の側に窪む方向の向きを、矢印４４で示すように、幹避け部３９を構成する溝の延長方向と定義すると、図５のａ図乃至ｄ図に示したように、矢印４３で示した幹避け部２９を構成する溝の延長方向と矢印４４で示した幹避け部３９を構成する溝の延長方向とが互いに異なっている。
【００３０】
即ち、幹避け部２９における端部３０の開口から仕切部材２５の内部の側に窪む方向の向きは図５のａ図及びｃ図に示したように左向きになっており、幹避け部３９における端部４０の開口から仕切部材３５の内部の側に窪む方向の向きはｂ図及びｄ図に示したように右向きになっている。よって、一方の箱体２１の分割境界部２２と他方の箱体３１の分割境界部３２とが互いに合わせられる場合に、仕切部材２５の外側部分２７が他方の箱体３１の内部に取り込まれるに伴い、植物４の幹６が仕切部材２５の端部３０の側の開口から幹避け部２９の窪む側に収容され、仕切部材３５の外側部分３７が一方の箱体２１の内部に取り込まれるに伴い、植物４の幹６が仕切部材３５の端部４０の側の開口から幹避け部３９の窪む側に収容されるようになっているので、植物４の幹６を幹避け部２９，３９に容易に収容することができる。
【００３１】
図１乃至図５に示した各発明を実施するための形態に係る生活環境改善装置１にあっては、図示のされていない強制換気機構を設けて、空気８を内部空間部３に強制的に取り入れたり、空気１０を内部空間部３から排出したりしても適用可能である。
【符号の説明】
【００３２】
１    生活環境改善装置
２    箱体
３    内部空間部
４    植物
５    鉢
６    幹
７    枝葉
８    空気（活環境改善対象）
９    給気口部
１０  空気（活環境改善済）
１１  排気口部
１２  仕切部材
１３  側壁部
１４  幹避け部
１６  仕切部材
１７  幹避け部
２１  箱体
２２  分割境界部
２３  開口部
２４  内部空間部
２５  仕切部材
２６  内側部分
２７  外側部分
２８  側壁部
２９  幹避け部
３０  端部
３１  箱体
３２  分割境界部
３３  開口部
３４  内部空間部
３５  仕切部材
３６  内側部分
３７  外側部分
３８  側壁部
３９  幹避け部
４０  端部
４３  幹避け部２９を構成する溝の延長方向を示した矢印
４４  幹避け部３９を構成する溝の延長方向を示した矢印
【図１】
2016187365.tif 000003
【図２】
2016187365.tif 000004
【図３】
2016187365.tif 000005
【図４】
2016187365.tif 000006
【図５】
2016187365.tif 000007
【図６】
2016187365.tif 000008